(57)【要約】【課題】本発明は、表示データと変更命令データを時間的に分離させて個別的に伝送する電子棚札表示器、電子棚札表示システム及びその動作方法に関する。【解決手段】本発明の一実施例による電子棚札表示器は、電子棚札表示中継器と無線通信を行う通信部と、上記通信部を通じて表示情報インデックスがマッピングされた表示情報を含む表示データを予め定められた設定時間の前に受信して保存し、上記設定時間の後に変更命令データを受信し、上記変更命令データに含まれる表示情報インデックスにマッピングされる表示情報を上記保存された表示データから検索して画面表示するように制御する制御部と、上記表示情報インデックスがマッピングされた表示情報を含む表示データを保存するメモリ部と、上記制御部の制御によって上記検索された表示情報を画面表示するディスプレイ部と、を含むことができる。【選択図】図２
2015226776.tif 000002
【特許請求の範囲】
【請求項１】
電子棚札表示中継器と無線通信を行う通信部と、
前記通信部を通じて表示情報インデックスがマッピングされた表示情報を含む表示データを、予め定められた設定時間の前に受信して保存し、前記設定時間の後に変更命令データを受信し、前記変更命令データに含まれる表示情報インデックスにマッピングされる表示情報を前記保存された表示データから検索して画面表示するように制御する制御部と、
前記表示情報インデックスがマッピングされた表示情報を含む表示データを保存するメモリ部と、
前記制御部の制御によって前記検索された表示情報を画面表示するディスプレイ部と、を含む、電子棚札表示器。
【請求項２】
前記メモリ部は、複数の表示情報インデックスＰ１〜ＰＮのそれぞれにマッピングされた複数の表示情報１〜表示情報Ｎが保存されるインデックス−表示情報ルックアップテーブルを含む、請求項１に記載の電子棚札表示器。
【請求項３】
前記表示データは、表示情報インデックスがマッピングされた表示情報を少なくとも一つ含み、
前記表示情報は、該当商品に関連する情報、広報情報及び販売関連情報の少なくとも一つである、請求項１または２に記載の電子棚札表示器。
【請求項４】
前記変更命令データは、表示情報インデックスを有するブロードキャストパケット信号を通じて伝送される、請求項１から３のいずれか１項に記載の電子棚札表示器。
【請求項５】
前記変更命令データは、表示情報インデックス及びスケジュール時間情報が互いにマッピングされた少なくとも一つのイベントを有するブロードキャストパケット信号を通じて伝送される、請求項１から４のいずれか１項に記載の電子棚札表示器。
【請求項６】
前記変更命令データは、電子棚札表示器の識別情報及び表示情報インデックスを有するユニキャストパケット信号を通じて伝送される、請求項１から５のいずれか１項に記載の電子棚札表示器。
【請求項７】
前記変更命令データは、電子棚札表示器の識別情報と、表示情報インデックス及びスケジュール時間情報が互いにマッピングされた少なくとも一つのイベントを有するユニキャストパケット信号を通じて伝送される、請求項１から６のいずれか１項に記載の電子棚札表示器。
【請求項８】
前記制御部に現在の時間情報を提供する時間管理部をさらに含み、
前記時間管理部は、前記電子棚札表示中継器から時間情報を受けて現在の時間情報をアップデートする、請求項１から７のいずれか１項に記載の電子棚札表示器。
【請求項９】
少なくとも一つの電子棚札表示器が、予め定められた設定時間の前に、電子棚札表示中継器から表示情報インデックスにマッピングされた表示情報を有する表示データを含むデータ信号を受信する段階と、
前記データ信号に含まれる表示データを保存する段階と、
前記設定時間の後に、前記電子棚札表示中継器から表示情報インデックスが含まれた変更命令データを含む制御信号を受信する段階と、
前記制御信号の変更命令データに含まれる表示情報インデックスにマッピングされる表示情報を予め保存されている前記表示データから検索する段階と、
前記検索された表示情報を画面に表示する段階と、を含む、電子棚札表示器の動作方法。
【請求項１０】
表示情報インデックスがマッピングされた表示情報を含む表示データを生成して提供し、その後、表示情報の変更のための変更命令データを提供する電子棚札表示サーバーと、
前記電子棚札表示サーバーから提供される表示データを含むデータ信号を予め定められた設定時間の前に伝送し、前記設定時間の後に前記変更命令データを含む制御信号を伝送する電子棚札表示中継器と、
前記電子棚札表示中継器と無線通信する少なくとも一つの電子棚札表示器を含み、前記少なくとも一つの電子棚札表示器は、前記電子棚札表示中継器から前記データ信号及び制御信号を受信する通信部と、
予め定められた設定時間の前に受信した前記データ信号に含まれる表示データを保存しておき、前記設定時間の後に前記制御信号に含まれる変更命令データを受信し、前記変更命令データに含まれる表示情報インデックスにマッピングされる表示情報を前記保存された表示データから検索して画面表示するように制御する制御部と、
前記表示情報インデックスがマッピングされた表示情報を含む表示データを保存するメモリ部と、
前記制御部の制御によって前記検索された表示情報を画面表示するディスプレイ部と、を含む、電子棚札表示システム。
【請求項１１】
前記サーバーは、複数の前記電子棚札表示器のそれぞれに対する表示情報アップデートのために、互いにマッピングされた表示情報インデックス及びスケジュール時間を有する少なくとも一つのイベントからなるアップデートシナリオを含み、
前記変更命令データは、前記アップデートシナリオを含む、請求項１０に記載の電子棚札表示システム。
【請求項１２】
前記表示データは、表示情報インデックスがマッピングされた表示情報を少なくとも一つ含み、
前記表示情報は、該当商品に関連する情報、広報情報及び販売関連情報の少なくとも一つである、請求項１０または１１に記載の電子棚札表示システム。
【請求項１３】
前記変更命令データは、表示情報インデックスを有するブロードキャストパケット信号を通じて伝送される、請求項１０から１２のいずれか１項に記載の電子棚札表示システム。
【請求項１４】
前記変更命令データは、表示情報インデックス及びスケジュール時間情報が互いにマッピングされた少なくとも一つのイベントを有するブロードキャストパケット信号を通じて伝送される、請求項１０から１３のいずれか１項に記載の電子棚札表示システム。
【請求項１５】
前記変更命令データは、電子棚札表示器の識別情報及び表示情報インデックスを有するユニキャストパケット信号を通じて伝送される、請求項１０から１４のいずれか１項に記載の電子棚札表示システム。
【請求項１６】
前記変更命令データは、電子棚札表示器の識別情報と、表示情報インデックス及びスケジュール時間情報が互いにマッピングされた少なくとも一つのイベントを有するユニキャストパケット信号を通じて伝送される、請求項１０から１５のいずれか１項に記載の電子棚札表示システム。
【請求項１７】
前記少なくとも一つの電子棚札表示器は、前記制御部に現在の時間情報を提供する時間管理部をさらに含み、
前記時間管理部は、前記電子棚札表示中継器から時間情報を受けて現在の時間情報をアップデートする、請求項１０から１６のいずれか１項に記載の電子棚札表示システム。
【請求項１８】
電子棚札表示サーバーが、表示情報インデックスがマッピングされた表示情報を含む表示データを生成して電子棚札表示中継器に伝送する段階と、
前記電子棚札表示中継器が、前記電子棚札表示サーバーから提供された前記表示データを含むデータ信号を予め定められた設定時間の前に少なくとも一つの電子棚札表示器に送信する段階と、
前記少なくとも一つの電子棚札表示器が、前記電子棚札表示中継器から前記データ信号を予め定められた設定時間の前に受信する段階と、
前記データ信号を受信した電子棚札表示器が、前記データ信号に含まれる表示データを保存する段階と、
前記電子棚札表示サーバーが、表示情報インデックスを含む変更命令データを前記電子棚札表示中継器に提供する段階と、
前記電子棚札表示中継器が、前記設定時間の後に、前記変更命令を含む制御信号を少なくとも一つの電子棚札表示器に伝送する段階と、
前記少なくとも一つの電子棚札表示器が、前記電子棚札表示中継器から制御信号を受信する段階と、
前記少なくとも一つの電子棚札表示器が、前記制御信号の変更命令データに含まれる表示情報インデックスにマッピングされる表示情報を予め保存されている前記表示データから検索する段階と、
前記少なくとも一つの電子棚札表示器が、前記検索された表示情報を画面に表示する段階と、を含む、電子棚札表示システムの動作方法。
【請求項１９】
前記データ信号を受信する段階は、
前記電子棚札表示中継器からウェイクアップ信号が受信されると、データ情報要請信号を伝送してデータ情報応答信号を受信する第１段階と、
前記データ情報応答信号に基づいてデータ要請信号を伝送してデータ応答信号の伝送を受ける第２段階と、を含む、請求項１８に記載の電子棚札表示システムの動作方法。
【請求項２０】
前記表示データは、表示情報インデックスがマッピングされた表示情報を少なくとも一つ含み、
前記表示情報は、該当商品に関連する情報、広報情報及び販売関連情報の少なくとも一つである、請求項１８または１９に記載の電子棚札表示システムの動作方法。
【請求項２１】
前記制御信号は、複数の電子棚札表示器に伝送するための信号である、請求項１８から２０のいずれか１項に記載の電子棚札表示システムの動作方法。
【請求項２２】
前記制御信号は、特定の一つの電子棚札表示器に伝送するための信号である、請求項１８から２１のいずれか１項に記載の電子棚札表示システムの動作方法。
【請求項２３】
前記制御信号は、表示情報インデックスを有するブロードキャストパケット信号である、請求項１８から２２のいずれか１項に記載の電子棚札表示システムの動作方法。
【請求項２４】
前記制御信号は、表示情報インデックス及びスケジュール時間情報が互いにマッピングされた少なくとも一つのイベントを有するブロードキャストパケット信号である、請求項１８から２３のいずれか１項に記載の電子棚札表示システムの動作方法。
【請求項２５】
前記制御信号は、電子棚札表示器の識別情報及び表示情報インデックスを有するユニキャストパケット信号を通じて伝送される、請求項１８から２４のいずれか１項に記載の電子棚札表示システムの動作方法。
【請求項２６】
前記制御信号は、電子棚札表示器の識別情報と、表示情報インデックス及びスケジュール時間情報が互いにマッピングされた少なくとも一つのイベントを有するユニキャストパケット信号を通じて伝送される、請求項１８から２５のいずれか１項に記載の電子棚札表示システムの動作方法。
【請求項２７】
前記少なくとも一つの電子棚札表示器は、前記電子棚札表示中継器から時間情報を受けて現在の時間情報をアップデートする、請求項１８から２６のいずれか１項に記載の電子棚札表示システムの動作方法。
【発明の詳細な説明】
【技術分野】
【０００１】
本発明は、表示データと変更命令データを時間的に分離させて個別に伝送する電子棚札表示器、電子棚札表示システム及びその動作方法に関する。
【背景技術】
【０００２】
通常、従来から商品陳列台に購買者のための商品情報を表示する方式としては、直接の手書きまたはプリンタで印刷された価格情報が表示された紙タグが用いられてきた。しかし、このような紙タグを用いる場合は、商品の価格情報が変更されたり、商品が変更される度に紙タグが交替されなければならないという短所があった。
【０００３】
このような紙タグの短所を補完することができる電子棚札（ＥＳＬ：Ｅｌｅｃｔｒｏｎｉｃ  Ｓｈｅｌｆ  Ｌａｂｅｌ、以下、電子棚札表示器とする）が研究及び開発されている。また、最近は、電子棚札表示器が一部の商品陳列台に適用される事例もある。このような複数の電子棚札表示器が含まれた電子棚札表示システムが売り場に設置されることもできる。
【０００４】
ところが、従来の電子棚札表示システムでは、売り場内の特定商品（または製品）（ｐｒｏｄｕｃｔ）の価格を特定の時間に同時に変動しなければならない場合がある。
【０００５】
一例として、魚介類のように夕方の特定の時間に一括して価格変動が発生する場合にも、すでに価格変動が発生する商品、時間及び割引率は予め決定されるようになる。この場合、価格変動が発生する時間に、サーバーが電子棚札表示器に伝送するデータを生成して中継器（例、ゲートウェイ）を介して複数の電子棚札表示器に伝送する場合は、決められた特定の時間に数千〜数万個のすべての電子棚札表示器に伝送する間に伝送誤差が発生する可能性があるため、複数の電子棚札表示器が同一の情報を同時に表示されることが不可能であるという問題点がある。
【０００６】
下記の先行技術文献に記載された特許文献１は、電子棚札表示システム及びその運用方法に関するものであるが、上述の問題に対する解決策を提示していない。
【先行技術文献】
【特許文献】
【０００７】
【特許文献１】韓国公開特許第２０１２−００３５３５８号公報
【発明の概要】
【発明が解決しようとする課題】
【０００８】
上述の問題点を解決するために、本発明の一実施例は、価格変動計画があれば、その前に表示情報インデックスにマッピングされた表示情報を含む表示データを少なくとも一つの電子棚札表示器に伝送しておき、各電子棚札表示器は表示データを保存して、変更命令があれば、表示情報インデックスにマッピングされた表示情報を検索して画面に表示することができる電子棚札表示器、電子棚札表示システム及びその動作方法を提供する。
【課題を解決するための手段】
【０００９】
本発明の一実施例によると、電子棚札表示中継器と無線通信を行う通信部と、上記通信部を通じて表示情報インデックスがマッピングされた表示情報を含む表示データを、予め定められた設定時間の前に受信して保存し、上記設定時間の後に変更命令データを受信し、上記変更命令データに含まれる表示情報インデックスにマッピングされる表示情報を上記保存された表示データから検索して画面表示するように制御する制御部と、上記表示情報インデックスがマッピングされた表示情報を含む表示データを保存するメモリ部と、上記制御部の制御によって上記検索された表示情報を画面表示するディスプレイ部と、を含む電子棚札表示器が提案される。
【００１０】
また、本発明の他の一実施例によると、電子棚札表示サーバーが、表示情報インデックスがマッピングされた表示情報を含む表示データを生成して電子棚札表示中継器に伝送する段階と、上記電子棚札表示中継器が、上記電子棚札表示サーバーから提供された上記表示データを含むデータ信号を予め定められた設定時間の前に少なくとも一つの電子棚札表示器に送信する段階と、上記少なくとも一つの電子棚札表示器が、上記電子棚札表示中継器から上記データ信号を予め定められた設定時間の前に受信する段階と、上記データ信号を受信した電子棚札表示器が、上記データ信号に含まれる表示データを保存する段階と、上記電子棚札表示サーバーが、表示情報インデックスを含む変更命令データを上記電子棚札表示中継器に提供する段階と、上記電子棚札表示中継器が、上記設定時間の後に、上記変更命令を含む制御信号を少なくとも一つの電子棚札表示器に伝送する段階と、上記少なくとも一つの電子棚札表示器が、上記電子棚札表示中継器から制御信号を受信する段階と、上記少なくとも一つの電子棚札表示器が、上記制御信号の変更命令データに含まれる表示情報インデックスにマッピングされる表示情報を予め保存されている上記表示データから検索する段階と、上記少なくとも一つの電子棚札表示器が、上記検索された表示情報を画面に表示する段階と、を含む電子棚札表示システムの動作方法が提案される。
【発明の効果】
【００１１】
本発明によると、電子棚札表示器が表示データを予め受信して保存するため、価格変動が必要な場合は、容量が小さい制御信号だけで電子棚札表示器が価格アップデートなどのために現在の表示情報を表示情報インデックスにマッピングされた表示情報に変更することができる。
【００１２】
また、サーバーにおいて、変更命令だけで複数個の電子棚札表示器が同一の表示情報を同時に画面表示することも可能になるという長所がある。
【００１３】
このように、予め複数の電子棚札表示器のそれぞれに複数の表示情報を伝送した状態では、サーバーにおけるイベントスケジュールによって表示動作を制御することができ、多様な環境変化によりイベントスケジュールが変更される場合も、該当する表示情報に対するスケジュール時間を変更することにより、適切な対応が可能であるという長所がある。
【図面の簡単な説明】
【００１４】
【図１】本発明の一実施例による電子棚札表示システムの構成図である。
【図２】本発明の一実施例による電子棚札表示器のブロック図である。
【図３】本発明の一実施例による電子棚札表示システムの表示情報インデックス別の表示情報の例示図である。
【図４】本発明の一実施例による電子棚札表示システム及び電子棚札表示器の動作流れ図である。
【図５】本発明の一実施例による電子棚札表示システムの動作説明図である。
【図６】本発明の一実施例による電子棚札表示システムの動作方法を示す例示図である。
【図７】本発明の一実施例による変更命令データパケットの一例示図である。
【図８】本発明の一実施例による変更命令データパケットの他の例示図である。
【図９】本発明の一実施例による電子棚札表示システムの動作方法を示すフローチャートである。
【図１０】本発明の一実施例による電子棚札表示システムの表示データの伝送例示図である。
【図１１】本発明の一実施例による電子棚札表示中継器と電子棚札表示器との表示データの伝送例示図である。
【図１２】本発明の一実施例による変更命令データを含む制御信号を伝送するためのブロードキャスティング及びユニキャスティングの説明図である。
【図１３】本発明の一実施例による表示情報のアップデートシナリオの例示図である。
【図１４】本発明の一実施例による複数の電子棚札表示器のそれぞれに対するアップデートシナリオによる複数のイベントの説明図である。
【発明を実施するための形態】
【００１５】
以下では、添付の図面を参照し、本発明の好ましい実施例について説明する。しかし、本発明の実施例は様々な他の形態に変形されることができ、本発明の範囲は以下で説明する実施例に限定されない。また、本発明の実施例は、当該技術分野で平均的な知識を有する者に本発明をより完全に説明するために提供されるものである。したがって、図面における要素の形状及び大きさなどはより明確な説明のために誇張されることがある。
【００１６】
図１は本発明の一実施例による電子棚札表示システムの構成図である。
【００１７】
図１を参照すると、本発明の一実施例による電子棚札表示システムは、電子棚札表示サーバー１００（例、ＥＳＬ  Ｓｅｒｖｅｒ）、複数の電子棚札表示中継器２００（例、Ｇａｔｅｗａｙ）、及び複数の電子棚札表示器３００（例、電子棚札）を含むことができる。
【００１８】
一例として、上記電子棚札表示サーバー１００は、有線通信網（例、イーサネット（登録商標））を介して上記電子棚札表示中継器２００に接続されて、表示情報インデックスがマッピングされた表示情報を含む表示データ及び表示情報の変更のための変更命令データを複数の電子棚札表示中継器２００に伝送することができる。
【００１９】
ここで、上記表示データは、上記表示情報の他にも、予めマッピングされた商品（ｐｒｏｄｕｃｔ）に関連しながら非表示情報をさらに含むことができる。上記表示情報は、該当商品に関連する情報、広報情報及び販売関連情報のうち少なくとも一つを含むことができる。上記非表示情報は、識別情報や住所情報などであってよい。
【００２０】
また、上記表示情報は、イメージまたはテキストであってよく、全体のページまたは部分のテキスト、デザインであってもよい。上記表示情報は、電気的にディスプレイパネルに表示されることができるものであれば、特に特定形状や情報に限定されない。
【００２１】
上記複数個の電子棚札表示中継器２００のそれぞれは、無線通信網（例、無線ファン通信）を介して複数個の電子棚札表示器グループと連結されることができる。
【００２２】
上記複数の電子棚札表示中継器２００のそれぞれは、上記電子棚札表示サーバー１００から提供される表示データを含むデータ信号、及び上記変更命令データを含む制御信号を少なくとも一つの電子棚札表示器３００に伝送することができる。
【００２３】
一方、複数個の中継器のそれぞれは、複数の電子棚札表示器を含む各グループ別に区分して無線通信を行うために、ＰＡＮ（Ｐｅｒｓｏｎａｌ  Ａｒｅａ  Ｎｅｔｗｏｒｋ）通信網を形成することができる。ここで、複数の電子棚札表示器グループはグループＩＤ（Ｇｒｏｕｐ  ＩＤ）という識別情報を通じて互いに識別され、複数の電子棚札表示器はＭＡＣアドレス（ＭＡＣ  ａｄｄｒｅｓｓ）という識別情報を通じて識別されることができる。
【００２４】
一例として、本発明の各実施例における識別情報は、上記グループＩＤ及びＭＡＣアドレスのうちの一つになることができる。
【００２５】
また、上記複数個の電子棚札表示器グループのそれぞれは、複数個の電子棚札表示器を含むことができる。上記複数の電子棚札表示器３００のそれぞれは、上記電子棚札表示中継器２００と無線通信することにより、上記電子棚札表示中継器２００からデータ信号を受信して上記データ信号に含まれる表示データを保存することができる。
【００２６】
なお、上記複数の電子棚札表示器３００のそれぞれは、上記電子棚札表示中継器２００から制御信号を受信して上記制御信号に含まれる変更命令データに基づいて上記表示データから変更命令データに含まれる表示情報インデックスにマッピングされた表示情報を検索して画面に表示することができる。
【００２７】
図２は本発明の一実施例による電子棚札表示器のブロック図である。
【００２８】
図２を参照すると、上記電子棚札表示器３００は、通信部３１０、制御部３２０、メモリ部３３０、及びディスプレイ部３４０を含むことができる。
【００２９】
上記電子棚札表示器３００は、時間管理部３５０をさらに含むことができる。
【００３０】
上記通信部３１０は、上記電子棚札表示中継器２００と無線通信を行うことにより、上記電子棚札表示中継器２００からのデータ信号及び制御信号を受信することができる。ここで、上記通信部３１０は、データ信号及び制御信号を受信する過程において、データ要請及び確認（ＡＣＫ）信号を伝送することができる。
【００３１】
上記制御部３２０は、上記通信部３１０を通じて表示情報インデックスがマッピングされた表示情報を含む表示データを予め定められた設定時間（Ｔｓｅｔ）の前に受信して保存し、上記設定時間（Ｔｓｅｔ）の後に変更命令データを受信し、上記変更命令データに含まれる表示情報インデックスにマッピングされる表示情報を上記保存された表示データから検索して画面表示するように制御することができる。
【００３２】
上記メモリ部３３０は、上記表示情報インデックスがマッピングされた表示情報を含む表示データを保存することができる。
【００３３】
一例として、上記メモリ部３３０は、複数の表示情報インデックスＰ１〜ＰＮのそれぞれにマッピングされた複数の表示情報１〜表示情報Ｎが保存されるインデックス−表示情報ルックアップテーブル３３５を含むことができる。
【００３４】
上記表示データは、表示情報インデックスがマッピングされた表示情報を少なくとも一つ含むことができる。
【００３５】
上記ディスプレイ部３４０は、上記制御部３２０の制御によって上記検索された表示情報を画面表示することができる。
【００３６】
ここで、上記ディスプレイ部３４０としては、電子紙パネルやＬＣＤパネルなどのように、電気的に情報を表示することができるディスプレイパネルが適用されることができる。
【００３７】
また、上記時間管理部３５０は、上記制御部３２０に現在の時間情報を提供することができる。
【００３８】
一例として、上記時間管理部３５０は、自体に精密な時計を含むことができる。これとは異なる例として、上記電子棚札表示中継器２００から精密な時間情報を受けて現在の時間情報の誤差を補正することができる。一例として、上記時間情報（ｔｉｍｅ  ｉｎｆｏｒｍａｔｉｏｎ）は、ウェイクアップフレームに含まれることができ、この場合、上記電子棚札表示器は、ウェイクアップフレームを含むウェイクアップ信号を受信してウェイクアップフレームに含まれる時間情報を用いて現在時間の誤差を補正することができる。
【００３９】
図３は本発明の一実施例による電子棚札表示システムの表示情報インデックス別の表示情報の例示図である。
【００４０】
図１から図３を参照すると、上記電子棚札表示器３００のディスプレイ部３４０は現在の表示情報（ＳＣＲ１）を表示することができ、上記メモリ部３３０はインデックス−表示情報ルックアップテーブル３３５（図２を参照）に、表示情報インデックスＰ１にマッピングされた表示情報１（ＳＣＲ２）及び表示情報インデックスＰ２にマッピングされた表示情報２（ＳＣＲ３）を保存することができる。
【００４１】
このような上記メモリ部３３０は、複数の表示情報インデックスＰ１〜ＰＮのそれぞれにマッピングされた表示情報１〜表示情報Ｎを含むことができる。
【００４２】
図４は本発明の一実施例による電子棚札表示システム及び電子棚札表示器の動作流れ図である。
【００４３】
図４を参照すると、上記電子棚札表示システムは、電子棚札表示サーバー１００、電子棚札表示中継器２００、及び電子棚札表示器３００を含むことができる。
【００４４】
図４に示された上記電子棚札表示サーバー１００、電子棚札表示中継器２００及び電子棚札表示器３００に関する動作のうち、図１から図３を参照して説明された動作と同一の動作に対しては、その重複する説明を省略することができる。
【００４５】
まず、上記電子棚札表示サーバー１００は、上記電子棚札表示器３００に表示される表示データを生成して電子棚札表示中継器２００に提供することができ（Ｓ１００）、上記電子棚札表示中継器２００が上記表示データを含むデータ信号を少なくとも一つの電子棚札表示器に送信することができる（Ｓ２００）。
【００４６】
このとき、上記電子棚札表示器３００は、予め定められた設定時間（Ｔｓｅｔ）の前に、電子棚札表示中継器２００から表示情報インデックスにマッピングされた表示情報を有する表示データを含むデータ信号を受信することができる（Ｓ３００）。
【００４７】
その後、上記電子棚札表示器３００は、上記データ信号に含まれる表示データを保存することができる（Ｓ４００）。
【００４８】
また、上記電子棚札表示サーバー１００は、上記電子棚札表示器３００に表示される変更命令データを生成して電子棚札表示中継器２００に提供することができ（Ｓ５００）、上記電子棚札表示中継器２００が上記変更命令データを含む制御信号を少なくとも一つの電子棚札表示器に送信することができる（Ｓ６００）。
【００４９】
このとき、上記電子棚札表示器３００は、設定時間（Ｔｓｅｔ）の後に、上記電子棚札表示中継器２００から表示情報インデックスが含まれた変更命令データを含む制御信号を受信することができる（Ｓ７００）。
【００５０】
続いて、上記電子棚札表示器３００は、上記制御信号の変更命令データに含まれる表示情報インデックスにマッピングされる表示情報を予め保存している上記表示データから検索することができる（Ｓ８００）。
【００５１】
次に、上記電子棚札表示器３００は、上記検索された表示情報をディスプレイ部を通じて画面表示することができる（Ｓ９００）。
【００５２】
例えば、複数の電子棚札表示器３００のそれぞれが同一の表示情報を予め受信して保存している状態で、同時に表示情報の変動が必要な場合は、複数の電子棚札表示器３００のそれぞれがサーバーからの制御信号によって最大数秒以内の誤差内でディスプレイ部において表示情報の変更を実行することができる。
【００５３】
上述の通り、上記電子棚札表示サーバー１００は、価格変動計画があれば価格変動を希望する時間より設定時間の前に、表示情報を含む表示データを電子棚札表示中継器２００を通じて電子棚札表示器３００に予め伝送することができる。
【００５４】
その後、上記電子棚札表示サーバー１００は、表示情報インデックス及び／またはスケジュール時間が含まれた制御信号を用いることにより、複数の電子棚札表示器のそれぞれに対するアップデートを制御することができる。
【００５５】
図５は本発明の一実施例による電子棚札表示システムの動作説明図である。
【００５６】
図５を参照すると、本発明の一実施例による電子棚札表示システムは、電子棚札表示サーバー１００（例、ＥＳＬ  Ｓｅｒｖｅｒ）、複数の電子棚札表示中継器２００（例、Ｇａｔｅｗａｙ）、及び複数の電子棚札表示器３００（例、電子棚札）を含むことができる。
【００５７】
以下、本発明の一実施例による電子棚札表示システムの動作方法に関する説明において、図１から図４を参照して行われた動作説明が適用されることができる。これにより、上記電子棚札表示システムの動作方法に関する説明において、可能な限り重複する詳しい説明は省略されることができる。
【００５８】
一例として、上記電子棚札表示サーバー１００は、表示情報インデックスがマッピングされた表示情報を含む表示データを生成して提供し、その後、表示情報の変更のための変更命令データを複数の電子棚札表示中継器２００に伝送することができる。
【００５９】
例えば、上記電子棚札表示サーバー１００は、上記複数の電子棚札表示器３００のそれぞれに対する表示情報をアップデートするために、互いにマッピングされた表示情報インデックス及びスケジュール時間を有する少なくとも一つのイベントからなるアップデートシナリオを含み、上記変更命令データは上記アップデートシナリオを含むことができる。
【００６０】
上記複数の電子棚札表示中継器２００のそれぞれは、上記電子棚札表示サーバー１００から提供される表示データを含むデータ信号を予め定められた設定時間（Ｔｓｅｔ）の前に少なくとも一つの電子棚札表示器３００に伝送し、上記設定時間（Ｔｓｅｔ）の後に上記変更命令データを含む制御信号を少なくとも一つの電子棚札表示器３００に伝送することができる。
【００６１】
このとき、上記電子棚札表示中継器２００は、通信衝突を回避するために、複数の電子棚札表示器のそれぞれにデータ伝送時間を分散させて上記データを伝送することができる。
【００６２】
また、上記複数の電子棚札表示器３００のそれぞれは、予め定められた設定時間（Ｔｓｅｔ）の前に、上記電子棚札表示中継器２００からデータ信号を受信して上記データ信号に含まれる表示データをメモリ部３３０に保存することができる。
【００６３】
なお、上記複数の電子棚札表示器３００のそれぞれは、上記設定時間（Ｔｓｅｔ）の後に、上記電子棚札表示中継器２００から制御信号を受信して上記制御信号に含まれる変更命令データに基づいて上記表示データから表示情報を検索してディスプレイ部３４０を通じて画面に表示することができる。
【００６４】
上述の通り、電子棚札表示サーバー１００では、多様なスケジュールからなることができるシナリオを含む制御信号を用いることにより、複数の電子棚札表示器に予め伝送した表示情報を制御することができる。一例として、スケジュールＡについて図６を参照して説明する。
【００６５】
図６は本発明の一実施例による電子棚札表示システムの動作方法を示す例示図である。
【００６６】
図６を参照すると、上記電子棚札表示サーバー１００は、電子棚札表示器を動作させるために、スケジュール（Ｓｃｈｅｄｕｌｅ）Ａのデータを生成して電子棚札表示中継器２００を通じてスケジュールＡを電子棚札表示器３００に送信することができ、上記電子棚札表示器３００は、スケジュールＡによってイメージＡ、イメージＢ及びイメージＣを画面表示することができる。
【００６７】
上記電子棚札表示中継器２００には、上記スケジュール（Ｓｃｈｅｄｕｌｅ）Ａのデータを電子棚札表示サーバー１００との接続が切れることに備えて内部データベースに保存しておき、上記電子棚札表示器３００からの要請があるたびに処理することができるという機能が含まれている。
【００６８】
さらに、上記スケジュール（Ｓｃｈｅｄｕｌｅ）Ａには、電子棚札表示器が変更されなければならない複数のイベント（Ｅｖｅｎｔ）Ａ、イベントＢ、イベントＣ及びイベントＤが含まれている。
【００６９】
一例として、複数のイベントＡ、イベントＢ、イベントＣ及びイベントＤのそれぞれには、インデックスＡ、インデックスＢ、インデックスＣ及びインデックスＤ、及び表示する時間を意味するスケジュール時間がそれぞれマッピングされている。
【００７０】
例えば、インデックスＡにスケジュール時間８：００ａｍ〜１０：００ａｍがマッピングされ、インデックスＢにスケジュール時間１０：００ａｍ〜１３：００ｐｍがマッピングされ、インデックスＣにスケジュール時間１３：００ｐｍ〜１５：００ｐｍがマッピングされ、インデックスＤにスケジュール時間１５：００ｐｍ〜１７：００ｐｍがマッピングされているとすると、電子棚札表示器では、８：００ａｍにはインデックスＡにマッピングされたイメージＡが表示され、１０：００ａｍにはインデックスＢにマッピングされたイメージＢが表示され、１３：００ｐｍにはインデックスＣにマッピングされたイメージＣが表示され、１５：００ｐｍにはインデックスＤにマッピングされたイメージＤが表示されることができる。
【００７１】
ここで、上記イメージは、表示情報に対する一つの例示であるだけで、表示情報がイメージに限定されるものではない。また、上記制御信号は、一回に伝送することができる制御データパケットに最大１２個のイベントを含むことができるが、これに限定されない。なお、インデックスＡ、インデックスＢ、インデックスＣ及びインデックスＤのそれぞれは、上記イメージＡ、イメージＢ、イメージＣ及びイメージＤのそれぞれにマッピングされた表示情報インデックスである。
【００７２】
このような制御信号については図７及び図８を参照して説明する。
【００７３】
図７は本発明の一実施例による変更命令データパケットの一例示図であり、図８は本発明の一実施例による変更命令データパケットの他の例示図である。
【００７４】
図７及び図８を参照すると、本発明の一実施例による制御信号に含まれる変更命令データは、図７に示されているように、ブロードキャストパケットで形成されることができ、図８に示されているように、ユニキャストパケットで形成されることもできる。
【００７５】
まず、図７（ａ）を参照すると、上記変更命令データは、グループＩＤ及び表示情報インデックスｋ（ここで、ｋは１以上の自然数）を含むことができる。
【００７６】
図７（ｂ）を参照すると、上記変更命令データは、グループＩＤ、表示情報インデックスｋ及びスケジュール時間情報ｋを有するイベントｋを含むことができる。
【００７７】
図７（ｃ）を参照すると、上記変更命令データは、グループＩＤ及び複数のイベント１からＮを含むことができ、上記イベント１からＮのそれぞれは、表示情報インデックス及びスケジュール時間情報を含むことができる。
【００７８】
図７（ａ）、図７（ｂ）及び図７（ｃ）におけるグループＩＤは、複数の電子棚札表示器グループを識別することができる情報で、制御信号が同一のグループＩＤを含むと、制御信号は一つの電子棚札表示中継器に接続されたすべての電子棚札表示器に伝送されることができる。
【００７９】
また、図８（ａ）を参照すると、上記変更命令データは、識別情報及び表示情報インデックスｋ（ここで、ｋは１以上の自然数）を含むことができる。
【００８０】
図８（ｂ）を参照すると、上記変更命令データは、識別情報、表示情報インデックスｋ及びケジュール時間情報ｋを有するイベントｋを含むことができる。
【００８１】
図８（ｃ）を参照すると、上記変更命令データは、識別情報及び複数のイベント１からＮを含むことができ、上記イベント１からＮのそれぞれは表示情報インデックス及びスケジュール時間情報を含むことができる。
【００８２】
図８（ａ）、図８（ｂ）及び図８（ｃ）における識別情報は、複数の電子棚札表示器のそれぞれを識別することができる情報で、例えば、ＭＡＣ住所であってもよい。このような場合、制御信号が同一の識別情報を含むと、制御信号は一つの電子棚札表示器に伝送されることができ、上記識別情報を用いることで伝送する目的対象である電子棚札表示器を一つだけ指定することができる。
【００８３】
図９は本発明の一実施例による電子棚札表示システムの動作方法を示すフローチャートである。
【００８４】
以下、本発明の一実施例による電子棚札表示システムの動作方法に関する説明において、図１から図８を参照して行われた動作説明が適用されることができる。これにより、上記電子棚札表示システムの動作方法に関する説明において、可能な限り重複する詳しい説明は省略されることができる。
【００８５】
図１から図９を参照すると、まず、Ｓ１００の段階では、電子棚札表示サーバー１００が表示情報インデックスがマッピングされた表示情報を含む表示データを生成して電子棚札表示中継器２００に伝送することができる。
【００８６】
Ｓ２００の段階では、上記電子棚札表示中継器２００が、上記電子棚札表示サーバー１００から提供された上記表示データを含むデータ信号を予め定められた設定時間（Ｔｓｅｔ）の前に、少なくとも一つの電子棚札表示器３００に送信することができる。
【００８７】
Ｓ３００の段階では、上記少なくとも一つの電子棚札表示器３００が、上記電子棚札表示中継器２００から上記データ信号を予め定められた設定時間（Ｔｓｅｔ）の前に受信することができる。
【００８８】
Ｓ４００の段階では、上記データ信号を受信した電子棚札表示器３００が、上記データ信号に含まれる表示データを保存することができる。
【００８９】
上述のような動作は上記設定時間（Ｔｓｅｔ）の前に行われることができる。ここで、上記設定時間（Ｔｓｅｔ）は、該当電子棚札表示器への表示データの伝送が完了しなければならない時間の後で、上記電子棚札表示サーバー１００が変更命令データを生成する時間の前であれば十分である。
【００９０】
また、上記設定時間（Ｔｓｅｔ）の後には以下のような動作が行われることができる。
【００９１】
Ｓ５００の段階では、上記電子棚札表示サーバー１００が、表示情報インデックスを含む変更命令データを上記電子棚札表示中継器２００に提供することができる。
【００９２】
Ｓ６００の段階では、上記電子棚札表示中継器２００が、上記設定時間（Ｔｓｅｔ）の後に、上記変更命令データを含む制御信号を少なくとも一つの電子棚札表示器３００に伝送することができる。
【００９３】
Ｓ７００の段階では、上記少なくとも一つの電子棚札表示器３００が、上記電子棚札表示中継器２００から制御信号を受信することができる。
【００９４】
Ｓ８００の段階では、上記少なくとも一つの電子棚札表示器３００が、上記制御信号の変更命令データに含まれる表示情報インデックスにマッピングされる表示情報を予め保存されている上記表示データから検索することができる。
【００９５】
また、Ｓ９００の段階では、上記少なくとも一つの電子棚札表示器３００が、上記検索された表示情報を画面に表示することができる。
【００９６】
図１０は本発明の一実施例による電子棚札表示システムの表示データの伝送例示図であり、図１１は本発明の一実施例による電子棚札表示中継器と電子棚札表示器との表示データの伝送例示図である。
【００９７】
図１から図１１を参照して、上記データ信号を受信する段階（Ｓ３００）について説明する。
【００９８】
まず、上記電子棚札表示中継器２００がウェイクアップフレームを生成して、このウェイクアップフレームを含むウェイクアップ信号をブロードキャストパケットで送信することができる。これに対して、上記電子棚札表示中継器２００に接続されたすべての電子棚札表示器がウェイクアップされて応答することができる（Ｓ２１０）。
【００９９】
一例として、ウェイクアップ（Ｗａｋｅ−ｕｐ）チャンネルを介して中継器が３００秒に１回ずつウェイクアップフレーム（Ｗａｋｅ−ｕｐ  Ｆｒａｍｅ）を含むウェイクアップ信号を１５秒間送信することができる。
【０１００】
このとき、無線環境においてウェイクアップ信号間の衝突（Ｃｏｌｌｉｓｉｏｎ）を防ぐために、各中継器は互いに異なるタイムスロット（Ｔｉｍｅ  Ｓｌｏｔ）で自身のウェイクアップ信号を伝送する方式を用いることができる。
【０１０１】
例えば、上記電子棚札表示器３００は、電子棚札表示中継器２００から識別ＩＤを含むウェイクアップ信号を受信することができる。この場合、上記ウェイクアップ信号に含まれる識別ＩＤが自己識別ＩＤと一致する場合はウェイクアップされて、上記電子棚札表示中継器２００にデータを要請することができる。
【０１０２】
また、上記電子棚札表示中継器２００は、ウェイクアップフレームを含むウェイクアップ信号を予め定められたウェイクアップチャンネルを介して予め定められた複数の電子棚札表示器３００に伝送することができる。一例として、上記ウェイクアップチャンネルは、電子棚札表示中継器２００が電子棚札表示器３００にブロードキャスティング（ｂｒｏａｄｃａｓｔｉｎｇ）方式で送信するための伝送チャンネルであってもよい。
【０１０３】
なお、電子棚札表示中継器２００がウェイクアップ（Ｗａｋｅ−ｕｐ）チャンネルを介して３００秒に１回ずつウェイクアップフレーム（Ｗａｋｅ−ｕｐ  Ｆｒａｍｅ）を１５秒間送信することができる。
【０１０４】
例えば、上記ウェイクアップフレーム（Ｗａｋｅ−ｕｐ  Ｆｒａｍｅ）は、ウェイクアップ対象機器の識別ＩＤに該当するウェイクアップＩＤ及び該当電子棚札表示器における現在の時間の誤差を補正するための正確な現在の時間情報を含むことができる。
【０１０５】
このとき、無線環境においてウェイクアップフレーム（Ｗａｋｅ−ｕｐ  Ｆｒａｍｅ）間の衝突（Ｃｏｌｌｉｓｉｏｎ）を防ぐために、各中継器は互いに異なるタイムスロット（Ｔｉｍｅ  Ｓｌｏｔ）で自身のウェイクアップフレーム（Ｗａｋｅ−ｕｐ  Ｆｒａｍｅ）を伝送する方式を用いることができる。
【０１０６】
また、ウェイクアップされた上記電子棚札表示器３００は、上記ウェイクアップチャンネルと区別されるように予め定められたデータチャンネルを介して上記電子棚札表示中継器２００にデータを要請して、伝送されることができる。このようなウェイクアップチャンネル及びデータチャンネルに関連する事項は本発明の各実施例に適用されることができる。
【０１０７】
上述の通り、ウェイクアップチャンネルを介してウェイクアップ信号が伝送された後は、データチャンネルを介して表示データの伝送過程を行うことができる。
【０１０８】
続いて、該当電子棚札表示器３００が上記電子棚札表示中継器２００からウェイクアップ信号を受信すると、データ情報要請（Ｄａｔａ  Ｉｎｆｏ．Ｒｅｑｕｅｓｔ）信号を上記電子棚札表示中継器２００に伝送して、上記電子棚札表示中継器２００からデータ情報応答（Ｄａｔａ  Ｉｎｆｏ．Ｒｅｓｐｏｎｓｅ）信号を受信することができる（Ｓ３２０）。
【０１０９】
ここで、上記データ情報応答（Ｄａｔａ  Ｉｎｆｏ．Ｒｅｓｐｏｎｓｅ）信号には伝送するデータパケットの全体数、全体のデータサイズ、圧縮されたデータサイズ、圧縮方式、チェックサム（Ｃｈｅｃｋｓｕｍ）とともに、データを電子棚札表示器のディスプレイ部に実際に表示する時間情報（Ｔｉｍｅ  ｔｏ  Ｕｐｄａｔｅ  Ｉｍａｇｅ）が含まれることができる。
【０１１０】
次に、上記電子棚札表示器３００が、上記データ情報応答信号に基づいて上記電子棚札表示中継器２００にデータ要請（Ｄａｔａ  Ｒｅｑｕｅｓｔ）信号を伝送して、上記電子棚札表示中継器２００からデータ応答信号を受信することができる（Ｓ３３０）。
【０１１１】
一例として、電子棚札表示器３００のディスプレイ部のサイズによって多少差異はあるが、データ伝送パケットのペイロード（Ｐａｙｌｏａｄ）サイズの制限のため全体のデータを１回のパケット伝送だけで電子棚札表示器３００にすべて伝送することができない場合は、数個のデータ伝送パケットを複数回伝送して、電子棚札表示中継器２００が全体のデータを電子棚札表示器３００に伝送することができる。このとき、データ情報応答信号を通じてデータパケットの総個数、全体のデータサイズ、圧縮されたデータサイズ、圧縮方式などの情報を予め伝送することができる。
【０１１２】
これにより、表示データの容量が大きい場合は、上記データパケットの全体数に基づいて表示データが分割されて伝送されることができる。
【０１１３】
このように、表示データの伝送が完了すると、上記電子棚札表示器は、確認（ＡＣＫ）信号を中継器を通じてサーバーに伝送することができる。上記電子棚札表示サーバー１００は、上記確認（ＡＣＫ）信号に基づいて表示データの伝送完了を認識することができる。
【０１１４】
一例として、ウェイクアップ（Ｗａｋｅ−ｕｐ）チャンネルを介して中継器が３００秒に１回ずつウェイクアップフレーム（Ｗａｋｅ−ｕｐ  Ｆｒａｍｅ）を１５秒間送信することができる。
【０１１５】
このとき、無線環境においてウェイクアップフレーム（Ｗａｋｅ−ｕｐ  Ｆｒａｍｅ）間の衝突（Ｃｏｌｌｉｓｉｏｎ）を防ぐために、各中継器は互いに異なるタイムスロット（Ｔｉｍｅ  Ｓｌｏｔ）で自身のウェイクアップフレーム（Ｗａｋｅ−ｕｐ  Ｆｒａｍｅ）を伝送する方式を用いることができる。
【０１１６】
図１２は本発明の一実施例による変更命令データを含む制御信号を伝送するためのブロードキャスティング及びユニキャスティングの説明図である。
【０１１７】
図７、図８及び図１２を参照すると、上記変更命令データを含む制御信号は、第１ケース（ＣＡ１）のように、ブロードキャスティングされて、複数の第１〜第Ｎ電子棚札表示器（ＴＡＧ１〜ＴＡＧＮ）に送信されることができる。
【０１１８】
また、上記変更命令データを含む制御信号は、第２ケース（ＣＡ２）のように、ユニキャスティングされて、特定の一つの電子棚札表示器（ＴＡＧｋ、ここで、ｋは１以上の自然数）に送信されることができる。
【０１１９】
図１３は本発明の一実施例による表示情報のアップデートシナリオの例示図である。
【０１２０】
図１３において、ＴＡＧ１、ＴＡＧ２、ＴＡＧ３、ＴＡＧ４、ＴＡＧ５及びＴＡＧ６は電子棚札表示器のＭＡＣアドレス（Ｍａｃ  Ａｄｄｒｅｓｓ）であってよく、ページインデックスＮ（Ｐａｇｅ  Ｉｎｄｅｘ  Ｎ、ここで、Ｎはページ番号）はＮ番目のページに変更されなければならないことを意味する。また、図１３におけるページは表示情報に対する一つの例示であり、ページインデックスは表示情報インデックスを意味する。
【０１２１】
図１３を参照すると、サーバー（Ｓｅｒｖｅｒ）が電子棚札表示器（ＴＡＧ）のフロントページを変更するための制御信号を中継器（Ｇａｔｅｗａｙ）に伝送すると、中継器（Ｇａｔｅｗａｙ）が一定時間が経った後で電子棚札表示器（ＴＡＧ）をウェイクアップさせるためにウェイクアップ信号を伝送することができる。ここで、ウェイクアップ信号は周期的に伝送することができ、一例として、ウェイクアップ信号の伝送周期を５分とすると、最大５分が経たなければ電子棚札表示器のフロントページを変更するためのアップデートを行うことができない。
【０１２２】
一例として、ウェイクアップ信号を電子棚札表示器（ＴＡＧ）が受信した後、データ要請（Ｄａｔａ  Ｒｅｑｕｅｓｔ）を伝送すると、中継器（Ｇａｔｅｗａｙ）は電子棚札表示器のＭＡＣアドレス（Ｍａｃ  Ａｄｄｒｅｓｓ）を確認する。次に、中継器（Ｇａｔｅｗａｙ）に保存された電子棚札表示器（ＴＡＧ）のＭＡＣアドレス（Ｍａｃ  ａｄｄｒｅｓｓ）と比較した後、一致する電子棚札表示器に対してアップデートする情報があると、制御信号に該当ページインデックスを含ませて制御信号を該当電子棚札表示器に伝送することにより、該当ページ番号にマッピングされたページを該当電子棚札表示器が表示することができる。
【０１２３】
図１４は本発明の一実施例による複数の電子棚札表示器のそれぞれに対するアップデートシナリオによる複数のイベント説明図である。
【０１２４】
図１４を参照すると、本発明の一実施例によるサーバーは、複数の電子棚札表示器のそれぞれに対するアップデートシナリオを含むことができる。
【０１２５】
図１４に示されたアップデートシナリオを参照すると、第１〜第Ｎ電子棚札表示器（Ｔａｇ１〜ＴａｇＮ）のそれぞれに対するシナリオは第１〜第６イベント（Ｅｖｅｎｔ  ＃１〜＃６）を含むことができ、互いに異なるスケジュール時間を含むことができる。ここで、上記第１〜第６イベント（Ｅｖｅｎｔ  ＃１〜＃６）の横の長さがスケジュール時間の相対的な長さになることができる。
【０１２６】
上述のような本発明の一実施例による電子棚札表示システムでは、複数の電子棚札表示器に大容量のイメージなどのような表示情報を予め伝送しておき、その後、サーバーが容量が小さい制御信号を用いて複数の電子棚札表示器に対するアップデートを制御することができる。
【０１２７】
これによると、容量が大きいデータを予め伝送するため、通信干渉または通信障害による問題に対応することができ、その後、制御信号を通じてアップデートを制御するため、多様な状況変更に対応することができるという利点もある。
【０１２８】
また、特定の電子棚札表示器に対する制御も可能であるが、複数の電子棚札表示器の全体を１回で行う一括的な動作制御も可能であり、一連のアップデートシナリオを用いると、複数の電子棚札表示器に対する一括動作や順次動作などの多様なフロントページの変更効果を奏することができる。
【符号の説明】
【０１２９】
１００  電子棚札表示サーバー
２００  電子棚札表示中継器
３００  電子棚札表示器
３１０  通信部
３２０  制御部
３３０  メモリ部
３４０  ディスプレイ部
３５０  時間管理部
【図１】
2015226776.tif 000003
【図２】
2015226776.tif 000004
【図３】
2015226776.tif 000005
【図４】
2015226776.tif 000006
【図５】
2015226776.tif 000007
【図６】
2015226776.tif 000008
【図７】
2015226776.tif 000009
【図８】
2015226776.tif 000010
【図９】
2015226776.tif 000011
【図１０】
2015226776.tif 000012
【図１１】
2015226776.tif 000013
【図１２】
2015226776.tif 000014
【図１３】
2015226776.tif 000015
【図１４】
2015226776.tif 000016